(57)【要約】  電気コードの第１の端部を電気コンセントに差し込まれた構成で保持するように構成された保持コンポーネントが提供される。保持コンポーネントは、中に第１の端部を受容するようにサイズ決定された内部を有し、第１の端部が通過できないように、第１の端部の対応する寸法よりも小さい少なくとも１つの寸法を有するワイヤー開口部を含む。一つの形態では、壁板が壁または他の基材に固定された状態では、電気コードの第１の端部が壁と壁板との間に保持されるように、電気コードの第１の端部を保持するように構成された保持部を有する壁板が提供される。
2020530646.tif 000002
【特許請求の範囲】
【請求項１】
電気コードの第１の端部を電源に固定するための壁板システムであって、
基部と、
前記基部から外側に延びる保持部であって、中に前記電気コードの前記第１の端部を受容するようにサイズ決定された内部とともに、前記電源と整列するように構成された後方開口部および前方開口部を有する、保持部と、
を備え、
前記前方開口部は、前記電気コードの前記第１の端部がその中を通過できないように、前記電気コードの前記第１の端部よりも小さい少なくとも１つの寸法を有するようにサイズ決定されている、壁板システム。
【請求項２】
前記基部は、壁コンセントのソケットが前記保持部の前記後方開口部と整列するように、前記壁コンセントに取り外し可能に固定されるように構成されている、請求項１に記載の壁板システム。
【請求項３】
前記基部は、前記壁コンセントの第２のソケットと整列するように構成されたソケット開口部をさらに含む、請求項１または２に記載の壁板システム。
【請求項４】
前記保持部は、前記電気コードのアダプタを受容するようにサイズ決定された主要部と、前記主要部から離れて延び、前記電気コードの第１のコネクタを受容するようにサイズ決定された延長部とを含む、請求項１〜３のいずれか一項に記載の壁板システム。
【請求項５】
前記延長部は、前記前方開口部を画定する狭窄部を含む、請求項４に記載の壁板システム。
【請求項６】
前記保持部は、前記主要部と前記延長部との間に延びる肩部を含み、前記肩部は、前記電源との接続構成で前記アダプタを保持するように構成されている、請求項４または５に記載の壁板システム。
【請求項７】
前記主要部の断面が、前記アダプタの対応する寸法よりもわずかに大きい寸法を有する、請求項４〜６のいずれか一項に記載の壁板システム。
【請求項８】
前記延長部の断面が、前記第１のコネクタの対応する寸法よりもわずかに大きい寸法を有する、請求項４〜７のいずれか一項に記載の壁板システム。
【請求項９】
前記保持部の前記内部は、前記第１の端部が前記電源に結合された状態で、前記電気コードの前記第１の端部の深さと等しいか、それよりわずかに大きい深さを有する、請求項１〜８のいずれか一項に記載の壁板システム。
【請求項１０】
前記基部および前記保持部が、単一の一体構造を有する、請求項１〜９のいずれか一項に記載の壁板システム。
【請求項１１】
それぞれが、異なる電気コードを収容するために前記保持部の前記内部に別々に挿入可能な、１つ以上のユーザーが選択可能なスペーサーをさらに備える、請求項１〜１０のいずれか一項に記載の壁板システム。
【請求項１２】
電気コードをさらに備え、前記電気コードの前記第１の端部は、前記電気コードを前記電源、アダプタ、またはこれらの両方に電気的に結合するように構成された第１のコネクタを含む、請求項１〜１１のいずれか一項に記載の壁板システム。
【請求項１３】
前記第１の端部は、前記アダプタのみを含む、請求項１２に記載の壁板システム。
【請求項１４】
前記アダプタは２ピンまたは３ピンの電気コネクタを備え、前記第１のコネクタはＵＳＢコネクタを備える、請求項１２に記載の壁板システム。
【請求項１５】
前記第１の端部は前記第１のコネクタのみを含み、前記第１のコネクタはＵＳＢコネクタを含む、請求項１２に記載の壁板システム。
【請求項１６】
前記基部と保持部とが一体である、請求項１〜１０のいずれか一項に記載の壁板システムを製造する方法。
【請求項１７】
電気コンセントの周りのハウジングに固定し、それにより、前記電気コンセントに差し込まれた構成で電気コードの第１の端部を保持する保持部材であって、前記保持部材は、
内部を画定する側壁および端壁を有する本体であって、前記側壁は、前記本体の第１の端部にプラグ開口部を画定し、前記端壁は、前記本体の反対側の第２の端部に、貫通して延びるワイヤー開口部を有する本体と、を備え、
前記プラグ開口部は、前記プラグ開口部を通る前記電気コードの前記第１の端部を受容するようにサイズ決定されており、前記ワイヤー開口部は、前記第１の端部が前記ワイヤー開口部を通過できないように、前記第１の端部の対応する寸法より小さい少なくとも１つの寸法を有する、保持部材。
【請求項１８】
前記本体は、中にアダプタを受容するように構成された主要部と、中に前記電気コードの第１のコネクタを受容するように構成された延長部とを有する段付き構成を有する、請求項１７に記載の保持部材。
【請求項１９】
前記本体は、前記主要部と前記延長部との間に延びる肩部を含み、前記肩部は、前記電気コンセントとの接続構成で前記アダプタを保持するように構成されている、請求項１８に記載の保持部材。
【請求項２０】
前記本体は、その前記第１の端部から外向きに突出するタブ部を含み、前記タブ部は、前記タブ部を通る留め具を受容して、前記保持部材を前記電気コンセントの周りの前記ハウジングに結合するように構成されている、請求項１７〜１９のいずれか一項に記載の保持部材。
【請求項２１】
前記本体が、単一の一体構造を有する、請求項１７〜２０のいずれか一項に記載の保持部材。
【請求項２２】
それぞれが、異なる電気コードを収容するために前記本体の前記内部に別々に挿入可能な、１つ以上のユーザーが選択可能なスペーサーと組み合わされた、請求項１７〜２１のいずれか一項に記載の保持部材。
【請求項２３】
前記ハウジングと組み合わされた、請求項１７〜２１のいずれか一項に記載の保持部材。
【請求項２４】
前記ハウジングは、前記電気コンセントに隣接して延びるチャネルを含み、前記本体は、前記チャネルに挿入されて前記本体を前記ハウジングに固定するように構成された、前記本体の前記第１の端部の一部を含む、請求項２３に記載の組み合わせ。
【請求項２５】
電気コードをさらに備え、前記電気コードの第１の端部は、前記電気コードを前記電気コンセント、アダプタ、または両方に電気的に結合するように構成された第１のコネクタを含む、請求項２３または２４に記載の組み合わせ。
【請求項２６】
前記第１の端部が前記アダプタのみを含む、請求項２５に記載の組み合わせ。
【請求項２７】
前記アダプタが２ピンまたは３ピンの電気コネクタを備え、前記第１のコネクタがＵＳＢコネクタを備える、請求項２５に記載の組み合わせ。
【請求項２８】
前記第１の端部は前記第１のコネクタのみを含み、前記第１のコネクタはＵＳＢコネクタを備える、請求項２５に記載の組み合わせ。
【請求項２９】
壁板と組み合わせて電気コードの第１の端部を電源に固定するための保持システムであって、
本体を有する保持部材と、
中に前記電気コードの前記第１の端部を受容するようにサイズ決定された内部を有する前記本体の保持部であって、前記保持部は前記電源と整列するように構成された後部開口部を画定する後縁および前方開口部を含み、前記前方開口部は前記電気コードの前記第１の端部がその中を通過できないように、前記電気コードの前記第１の端部よりも小さい少なくとも１つの寸法を有するようにサイズ決定されている、保持部と、
前記保持部の前記後縁から外向きに延びる前記本体のフランジ部と、
を備え、
前記フランジ部は、前記壁板が前記電源の周りに固定されている状態では、前記壁板の後ろに捕捉されるように構成されており、前記保持部は、前記保持部材が前記電気コードの前記第１の端部を前記電源に対して保持するように、前記壁板のソケット開口部を貫通して延びるように構成されている、保持システム。
【請求項３０】
前記保持部は、前記電気コードのアダプタを受容するようにサイズ決定された主要部と、前記主要部から離れて延び、前記電気コードの第１のコネクタを受容するようにサイズ決定された延長部とを含む、請求項２９に記載の保持システム。
【請求項３１】
前記延長部は、前記前方開口部を画定する狭窄部を含む、請求項３０に記載の保持システム。
【請求項３２】
前記保持部は、前記主要部と前記延長部との間に延びる肩部を含み、前記肩部は、前記電源との接続構成で前記アダプタを保持するように構成されている、請求項３０または３１に記載の保持システム。
【請求項３３】
前記主要部の断面が、前記壁板の前記ソケット開口部を補完する形状を有する、請求項３０〜３２のいずれか一項に記載の保持システム。
【請求項３４】
前記延長部の断面が、前記第１のコネクタの対応する寸法よりもわずかに大きい寸法を有する、請求項３０〜３３のいずれか一項に記載の保持システム。
【請求項３５】
それぞれが、異なる電気コードを収容するために前記保持部の前記内部に別々に挿入可能な、１つ以上のユーザーが選択可能なスペーサーをさらに備える、請求項２９〜３４のいずれか一項に記載の保持システム。
【請求項３６】
電気コードをさらに備え、前記電気コードの前記第１の端部は、前記電気コードを前記電源、アダプタ、またはこれらの両方に電気的に結合するように構成された第１のコネクタを含む、請求項２９〜３５のいずれか一項に記載の保持システム。
【請求項３７】
前記第１の端部は、前記アダプタのみを含む、請求項３６に記載の保持システム。
【請求項３８】
前記アダプタが２ピンまたは３ピンの電気コネクタを備え、前記第１のコネクタがＵＳＢコネクタを備える、請求項３６に記載の保持システム。
【請求項３９】
前記第１の端部が前記第１のコネクタのみを含み、前記第１のコネクタがＵＳＢコネクタを備える、請求項３６に記載の壁板システム。
【請求項４０】
請求項１７〜２８のいずれか一項に記載の保持部材または請求項２９〜３９のいずれか一項に記載の保持システムを製造する方法。
【請求項４１】
前記保持部または本体は、前記保持部または本体を貫通して延びる１つ以上の通気開口部を含む、請求項１〜１１のいずれか一項に記載の壁板システム、請求項１７〜２２のいずれか一項に記載の保持部材、または請求項２９〜３５のいずれか一項に記載の保持システム。
【請求項４２】
前記保持部または本体はワイヤー保持アームを含み、前記ワイヤー保持アームは前記保持部または本体の周りに延びるコイル状のワイヤー部を保持するように構成されている、請求項１〜１１のいずれか一項に記載の壁板システム、請求項１７〜２２のいずれか一項に記載の保持部材、または請求項２９〜３５のいずれか一項に記載の保持システム。
【発明の詳細な説明】
【技術分野】
【０００１】
関連出願の相互参照
この出願は、２０１７年８月１１日に出願された米国仮出願第６２／５４４，２４８号、２０１７年１０月３１日に出願された米国仮出願第６２／５７９，３１４号、および２０１７年１１月２２日に出願された米国仮出願第６２／５８９，９３０号の利益を主張し、すべての目的のために、その全体が参照により本明細書に組み込まれる。
【０００２】
本開示は、概して、電子デバイス用のプラグに関し、より具体的には、電気コンセント用の保持コンポーネントに関する。
【背景技術】
【０００３】
モバイルデバイスを充電して接続するためのコードは、技術の進歩とともに多くの形態をとってきた。１つの現行の形態において、コードは、モバイルデバイスに接続するように構成されたコネクタを第１の端部に含み、電源または第２の電子デバイスに接続する別のコネクタを第２の端部に含む。第２の端部に関する１つの一般的なコネクタは、モバイルデバイスを対応するポートを持つコンピューティングデバイスまたは電源に接続できるＵＳＢ（ユニバーサルシリアルバス）コネクタである。ＵＳＢコネクタは、モバイルデバイスを壁コンセントに差し込んでモバイルデバイスを再充電するためのアダプタと組み合わせて使用することもできる。残念ながら、接続の増加に伴い、接続の１つが誤って分離される可能性が増加する。
【発明の概要】
【０００４】
いくつかの実施形態では、電気コードの第１の端部を電源に固定するための壁板が本明細書に記載され、これは、基部と、基部から外向きに延びる保持部とを含む。保持部は、中に電気コードの第１の端部を受容する大きさの内部を有する。保持部は、その内部に通じる後方開口部および前方開口部を含む。後部開口部は、電源と整列するように構成され、前方開口部は、第１の端部が通過できないように、電気コードの第１の端部よりも小さい少なくとも１つの寸法を有する大きさに設定されている。
【０００５】
１つのアプローチによれば、ソケットが保持部の後部開口部と整列するように、基部を壁コンセントに取り外し可能に固定されるように構成することができる。さらなるアプローチによれば、基部は、壁コンセントの第２のソケットと整列するように構成されたソケット開口部も含むことができる。
【０００６】
別のアプローチにより、電気コードの第１の端部は、アダプタおよび第１のコネクタを含むことができ、アダプタは、第１のコネクタを電源に電気的に結合するように構成される。このアプローチでは、保持部は、中にアダプタを受容するようにサイズ決定された主要部と、中に第１のコネクタを受容するようにサイズ決定された、主要部から離れて延びる延長部とを含むことができる。さらなるアプローチにより、延長部は、前方開口部を画定する狭窄部を含むことができ、保持部は、主要部と延長部との間に延びる肩部を含むことができ、肩部は、電源との接続構成でアダプタを保持するように構成され、主要部の断面の寸法は、アダプタの対応する寸法よりもわずかに大きな寸法を有することができ、延長部の断面は、第１のコネクタの対応する寸法よりわずかに大きい寸法を有することができる。
【０００７】
さらに別のアプローチにより、保持部の内部は、電気コードの第１の端部の深さと等しいか、それよりわずかに大きい深さを有することができる。
【０００８】
いくつかの実施形態では、壁板と組み合わせて電気コードの第１の端部を電源に固定するための保持システムが本明細書に記載されている。保持システムは、本体を有する保持部材を含む。本体の保持部は、中に電気コードの第１の端部を受容するようにサイズ決定された内部を有する。保持部は、電源と整列するように構成された後方開口部と、電気コードの第１の端部が通過できないような、電気コードの第１の端部よりも小さい少なくとも１つの寸法を持つようにサイズ決定された前方開口部とを画定する後縁を含む。本体のフランジ部は、保持部の後縁から外向きに延びている。フランジ部は、壁板が電源の周りに固定された状態で壁板の背後に捕捉されるように構成され、保持部は、壁板のソケット開口部を貫通して延びるように構成され、その結果、保持部材が電気コードの第１の端部を電源に対して保持するようになっている。
【０００９】
１つのアプローチにより、電気コードの第１の端部は、アダプタおよび第１のコネクタを含むことができ、アダプタは、第１のコネクタを電源に電気的に結合するように構成される。このアプローチでは、保持部は、中にアダプタを受容するようにサイズ決定された主要部と、中に第１のコネクタを受容するようにサイズ決定された、主要部から離れて延びる延長部とを含むことができる。さらなるアプローチにより、延長部は、前方開口部を画定する狭窄部を含むことができる。さらなるアプローチにより、保持部は、主要部と延長部との間に延びる肩部を含むことができ、肩部は、電源との接続構成でアダプタを保持するように構成される。
【００１０】
別のアプローチにより、主要部の断面は、壁板のソケット開口部を補完する形状を有することができる。
【００１１】
いくつかのアプローチにより、保持システムは、ユーザーが選択可能な１つ以上のスペーサーをさらに含むことができ、各ユーザーが選択可能なスペーサーは、異なる電気コードを収容するために、保持部の内部に別々に挿入できる。
【００１２】
いくつかの実施形態では、上記の実施形態のいずれかの保持部材を製造する方法が本明細書に記載されている。
【００１３】
いくつかの実施形態では、電気コンセントの周りのハウジングに固定するように構成され、それにより電気コードの第１の端部を、電気コンセントに差し込まれた構成で保持するように構成された保持部材が本明細書に記載される。保持部材は、内部を画定する側壁および端壁を有する本体を含む。側壁は、本体の第１の端部にプラグ開口部を画定し、端壁は、本体の反対側の第２の端部を通して延びるワイヤー開口部を有する。さらに、プラグ開口部は、電気コードの第１の端部を受容するようにサイズ決定されており、ワイヤー開口部は、第１の端部が通過できないように、第１の端部の対応する寸法より小さい少なくとも１つの寸法を有する。
【００１４】
１つのアプローチにより、本体は、中にアダプタを受容するように構成された主要部と、中に電気コードのコネクタを受容するように構成された延長部とを備えた段付き構成を有することができる。さらに、本体は、主要部と延長部との間に延びる肩部を含むことができ、この肩部は、電気コンセントとの接続構成でアダプタを保持するように構成される。
【００１５】
別のアプローチにより、本体は、その第１の端部から外向きに突出するタブ部を含むことができ、タブ部は、それを通して保持部材を電気コンセントの周りのハウジングに結合する留め具を受容するように構成される。
【００１６】
いくつかの実施形態において、上記形態の保持部材は、ハウジングと組み合わせることができ、ハウジングは、電気コンセントに隣接して延びるチャネルを含み、本体は、チャネルに挿入されるように構成され、本体をハウジングに固定する第１の端部の一部を含む。
【００１７】
上記の必要性は、以下の詳細な説明で記載されるプラグ保持の実施形態を提供することにより、特に、図面を参照して検討した場合に少なくとも部分的に満たされる。
【図面の簡単な説明】
【００１８】
【図１】本開示の様々な実施形態による電気コードおよびアダプタプラグの平面図である。
【図２】本開示の様々な実施形態による壁板を含む保持装置の第１の実施形態の斜視図である。
【図３】図２の保持装置の断面側面図であり、本開示の様々な実施形態による、壁コンセントと電気的に接続された電気プラグのアダプタプラグおよび第１のコネクタを保持する。
【図４】本開示の様々な実施形態による壁板を含む保持装置の第２の実施形態の斜視図である。
【図５】本開示の様々な実施形態による保持部材を含む保持装置の第３の実施形態の斜視図である。
【図６】本開示の様々な実施形態による、電気コンセントに隣接する壁板が取り付けられている、図５の保持部材の斜視図である。
【図７】本開示の様々な実施形態による、それに結合された電源バーと電気接続するプラグを保持するための保持部材の第４の実施形態を示す複数の電気コンセントを有する電源バーの側面図である。
【図８】本開示の様々な実施形態による、それに結合された電源コンセント構造と電気接続するプラグを保持するための保持部材の第５の実施形態を示す、その周辺に複数の電気コンセントが分布する電源コンセント構造の斜視図である。
【図９】本開示の様々な実施形態による、それに結合された電源コンセント構造と電気接続するプラグを保持するための保持カバー部材の第６の実施形態を示す、その周辺に複数の電気コンセントが分布する電源コンセント構造の斜視図である。
【図１０】本開示の様々な実施形態による壁板を含む保持装置の第７の実施形態の斜視図である。
【００１９】
当業者は、図中の要素が単純化および明瞭化のために示されており、必ずしも縮尺通りに描かれていないことを理解するであろう。例えば、図中のいくつかの要素の寸法および／または相対的な配置は、本発明の様々な実施形態の理解の改善を助けるために、他の要素に対して誇張されている場合がある。また、商業的に実行可能な実施形態において有用または必要である一般的であるが十分に理解されている要素は、これらの様々な実施形態の視野制限を低減するために描かれる場合はそう多くはない。さらに、特定のアクションおよび／またはステップを特定の発生順序で記載または描写できるが、当業者であれば、シーケンスに関するそのような特異性は実際には必要ではないことを理解することがさらに理解されよう。本明細書で使用される用語および表現は、異なる特定の意味が本明細書で別途記載されている場合を除き、上記の技術分野の当業者によってそのような用語および表現に従って与えられる通常の技術的意味を有することも理解されよう。
【発明を実施するための形態】
【００２０】
本明細書では、電源コンセントに隣接する構造に結合して、それによって電源コードおよびプラグを電源コンセントに電気的に係合させて保持するように構成された保持コンポーネントについて記載する。留め具、スナップフィットなどを使用するなど、任意の適切なメカニズムを使用して、保持コンポーネントを構造に固定することができる。保持コンポーネントは、壁に取り付けられたコンセント内の任意の所望する構成または他の構造を有する電源バーにおいて、電源コードとプラグを保持するように構成できる。保持コンポーネントは、中に電源コードのプラグを受容するようにサイズ決定された内部を画定するハウジングを有する。ハウジングは、ハウジングを構造に固定できるように、外側に面する表面に開口部を含み、そこに電源コードを受容する。
【００２１】
第１の実施形態では、壁または他の基板に固定された壁板で電気コードのプラグ端が壁と壁板との間に保持されるように、電気コードのプラグ端を保持するように構成された保持部を有する壁板が本明細書で提供され、それにより、人が電気コード全体と一緒に壁から離れて歩くことを防ぐ。保持部は、中にプラグ端を受容するようにサイズ決定された内部と、電気コードの中間のワイヤー部と第２の端部にその中を通過させて電気デバイスに接続できるようにする貫通開口部とを含む。貫通開口部は、プラグ端が内部を通過することが制限されるように、プラグ端の対応する寸法よりも小さい少なくとも１つの寸法でサイズ決定されている。
【００２２】
保持機能の図示された形式は、スマートフォン、タブレット、ＰＣ、およびその他のモバイルまたは不動デバイス用の標準の２つまたは３つの電気プラグ充電コネクタを収容するように設計および構成されているが、保持機能は、より小さいＵＳＢ電源コンセントコネクタに適応するように容易に修正され得る。すなわち、モバイルデバイス用のほとんどの充電コードは、壁電源コンセントなどの充電源または電源に接続するための第１のコネクタを備えた第１の端部と、充電するデバイスに差し込むための第２のコネクタを備えた第２の端部を含む。しかしながら、モバイルデバイスの急増とこれらのデバイスの充電の必要性により、最近の電力供給の傾向としては、従来の２ピンまたは３ピンのうちの１つに加えて、またはその代替として、ＵＳＢコネクタポートを備えた壁電源コンセント（すなわち、電気ソケット）電気コンセントを提供することが挙げられる。これにより、ユーザーは、電源アダプタを必要とせずに、充電コードの第１の端部を直接ＵＳＢコンセントに差し込むことができる。したがって、本発明は、この単純な変化に適応するために容易に修正され得ることを理解されたい。
【００２３】
ここで図を参照すると、電気デバイス１２を電源または二次電気デバイス１４に接続するための例示的な電気コード１０が図１および３に示されている。電気コード１０は、その第１の端部１８に第１のコネクタまたはプラグ１６を含み、その反対側の第２の端部２２に第２のコネクタまたはプラグ２０、およびそれらの間に延びるコードまたはワイヤー部２４を含む。多くの構成では、第１のコネクタ１６は第２のコネクタ２０よりも大きい寸法を有し、第１および第２のコネクタ１６、１８の両方はワイヤー部２４よりも大きい寸法を有する。例えば、第２のコネクタ２０は、ライトニングまたはミニＵＳＢコネクタであり得、一方、第１のコネクタ１６は、ＵＳＢコネクタであり得る。もちろん、第１および第２のコネクタ１６、２０のための他のコネクタおよびプラグも利用することができる。
【００２４】
図３を参照すると、電気コード１０のいくつかのバージョンは、その第１の端部１８でアダプタ２６を利用することができる。これらの場合、電気コード１０の第１の端部１８は、アダプタ２６、第１のコネクタ１６、またはアダプタ２６と第１のコネクタ１６の両方の組み合わせを含むことができる。アダプタ２６は、第１のコネクタ１６のプラグ部３１に結合するように構成されたポート２８をその第１の側面３０に含み、その第２の側面３４にプラグ３２を含む。例えば、電源１４は壁ソケット３６を含むことができ、プラグ３２は２ピンまたは３ピン構成などの対応する構成を有することができる。もちろん、プラグ３２は、電源または二次電気デバイス１４に対応する任意の所望の構成を有することができる。そして、上述のように、いくつかのバージョンは、第１のコネクタ１６のプラグ部３１が相補的な充電ソケットに直接差し込まれるように、アダプタ２６を全く必要としない。
【００２５】
次に、図２および図３を参照して、壁板またはコンセントカバー５０の例示的な実施形態を記載する。壁板５０は、一般に平面形状を有することができる基部５２と、随意的に、図示のように傾斜または先細りの縁部５３と、基部５２から外向きに延びる保持部５４とを含む。保持部５４は、中に電気コード１０の第１の端部１８を受容するようにサイズ決定された内部５６を有する。保持部５４は、第１のコネクタ１６、アダプタ２６、またはこれらの両方などの第１の端部１８がそこに電気的に結合できるように、ソケット３６と整列し、ソケット３６の周りに延びるように構成された、内部へと通じる後方開口部５８と、第２のコネクタ２０およびワイヤー部２４が内部を通過できるようにサイズ決定された前方開口部６０とをさらに含む。さらに、前方開口部６０は、第１の端部１８が通過できないように、第１の端部１８、第１のコネクタ１６および／またはそのアダプタ２６の対応する寸法よりも小さい寸法を少なくとも１つ有するようにサイズ決定されていてもよい。例えば、前方開口部６０は、第１のコネクタ１６よりも狭い幅、第１のコネクタ１６よりも低い高さ、またはこれらの両方、またはアダプタ２６よりも狭い幅、アダプタ２６よりも低い高さ、またはこれらの両方を有することができる。
【００２６】
壁板５０は、任意の適切な機構により、ソケット３６に隣接して、例えば、ソケット３６、接続箱６２、ソケット３６の周りに延びる壁６４などの構造などに対して固定されるように構成される。例えば、壁板５０は、開口部６８を貫通して延びる正方形、六角形、スロット付き、フィリップス、トルクス、スプラインなどの任意の所望の駆動タイプを有する１つ以上の留め具６６を使用して、基部５２上に固定することができる。
【００２７】
いくつかの実施形態では、保持部５４は、特定の第１の端部１８の形状および大きさに合わせて構成することができる。１つのアプローチにより、電源１４から前方開口部６０までの距離に対応する保持部内部５６の深さは、ソケット３４から突出する深さに対応する第１の端部１８の深さと等しいか、またはそれよりわずかに、例えば約１〜１０ｍｍ、約１〜５ｍｍ、約２〜約３ｍｍ長いようにサイズ決定されていてもよい。このように、第１の端部１８が保持部５４の内部５６内に受容されると、第１の端部１８の動きが制限され、電源１４との接続が維持され得る。
【００２８】
別のアプローチにより、その深さにほぼ直交する平面に沿って取られる保持部５４の断面は、第１の端部１８の特定の断面よりわずかに大きい寸法を有することができる。図示の形態では、第１の端部１８は、長方形の断面と丸みを帯びた縁部を備えたほぼ箱形の構成を有する。したがって、必要に応じて、保持部５４の内部５６は、長方形、または丸みを帯びた縁部を備えた長方形であって、断面が第１の端部１８よりもわずかに大きい長方形を有することができる。したがって、保持部５４は、使用中に第１の端部１８を横方向運動、垂直方向運動、および回転運動から制限することができる。
【００２９】
さらに、上述のように、電気コード１０の第１の端部１８は、アダプタ２６および第１のコネクタ１６を含むことができる。そのような構成では、第１のコネクタ１６の本体部７０は、多くの場合、アダプタ２６から距離を置いて延びている。所望であれば、保持部５４は、使用中に本体部７０または本体部７０の一部を中に受容するようにサイズ決定された延長部７２を含むことができる。いくつかの形態では、第１のコネクタ１６は、ほぼ均一な幅および高さを有するほぼ箱形の構成を有し得る。したがって、延長部７２は、その幅、高さ、またはこれらの両方、その遠位端を狭める狭窄部７４を含むことができ、そのため、前方開口部６０は、中に第１のコネクタ１６を保持するように、第１のコネクタ１６よりも小さな高さまたは幅、またはこれらの両方の少なくとも一方を有するようにサイズ決定されている。別のアプローチにより、延長部７２は、その幅および／または高さを連続的に減少させるために先細り形状を有することができる。
【００３０】
そのような構成では、保持部５４は、アダプタ２６を受容するようにサイズ決定された後部７８と寸法的により小さい延長部７２との間に延びる肩部７６を任意に含むことができる。したがって、保持部５４の内部５６は、使用中にアダプタ２６の第１の側面３０に当接するように構成される肩部７６の内部に停止面８０を含み、アダプタ２６が電源１４から外れないようにする。
【００３１】
必要に応じて、壁板５０は１つ以上の保持部５４を含むことができる。例えば、図２に示すような２ソケット３６構成では、壁板５０は２つの保持部５４を含むことができる。しかしながら、所望であれば、壁板５０は、電源１４の他のソケット３６を従来の方法で使用できるように、１つ以上の従来のソケット開口部８４を含むことができる。
【００３２】
例として、図４に示されるように、アダプタ２６のない構成では、第１の端部１８は第１のコネクタ１６のみを含むであろう。したがって、第２の実施形態では、保持部５４は、使用中に第１のコネクタ１６が中に保持されるように基部５２から離れて延びる延長部７２と同様に構成される。さらに、従来の２ピンまたは３ピンの電気ソケット３６ではなく、この形態のソケット３６は、対応するほぼ長方形のソケット開口部８４を備えたＵＳＢポートとすることができる。
【００３３】
壁板５０は、射出成形またはブロー成形などによる単一の一体構造を有することができ、または任意の適切な機構を使用して互いに固定される複数の構成要素とすることができる。
【００３４】
このように構成されているため、ユーザーがコード１０の第１の端部１８が電源１４から外れないようにしたい場合、ユーザーは第２の端部２２を延長部内部５６の前後の開口部５８、６０に通すことができ、第１の端部１８が後方開口部５８に向かって引っ張られるように、第２の端部２２またはワイヤー２４を引っ張る。次に、ユーザーは、第１の端部１８をソケット３４または他の電源１４に差し込み、壁板５０を、第１の端部１８が保持部内部５６内に受容され、従来のソケット開口部８４が他のソケット３４と整列されるように方向付ける。最後に、ユーザーは１つ以上の留め具６６を使用して壁板５０を固定できる。必要に応じて、ユーザーは、第１の端部１８が延長部内部５６に受容されるまで第２の端部２２またはワイヤーを引っ張り、壁板５０を固定しながら第１の端部１８をソケット３４または他の電源１４に差し込む。その後、壁板５０は、壁板５０が固定されず、ワイヤー２４および第２の端部２２が保持部５４を通って引き戻されるまで、第１の端部１８が電源１４に接続されなくなるのを防ぐ。
【００３５】
保持装置の第３の実施形態が図５および図６に示さる。この形態では、保持部材８６は、従来の壁板８７を後付けするように構成され、図２〜図４の実施形態に関して上述した利点を提供する。したがって、本明細書では、上記の実施形態に関する相違点のみを記載し、同様の構造および構成要素には素数を付して示す。
【００３６】
図示されるように、保持部材８６は、保持部５４’と保持部５４’の後縁９０から外向きに突出するフランジ部８９とを有する本体８８を含む。フランジ部８９は、長方形、円形、楕円形などの任意の所望の設置面積を有することができる。図示の形態では、フランジ部８９は、保持部５４’から離れて延びる長方形の接地面積を有し、それを貫通して延びるソケット開口部９１を含む。ソケット開口部９１は、隣接する電源またはソケット３６と整列するように構成される。有利なことに、フランジ部８９を２つ以上のソケット３６の周りに配置することにより、使用中に保持部材８６を安定させ、コード１０が不注意に引っ張られたり、保持部材８６を誰かが誤って叩いたりするなどの結果として保持部材８６に作用する力を分散させる。そのように構成されると、保持部材８６の動き、およびその動きが壁板８７に及ぼす影響が最小限に抑えられる。
【００３７】
図２および図３に示す上記の実施形態とは対照的に、この形態の保持部材８６は、フランジ部８９が壁板８７と壁ソケット３６との間に捕捉されるように、従来の壁板８７の後方に配置されるように構成され、接続箱６２、および／または壁６４（図３に示される）、および保持部５４’は、ソケット開口部８４を通って突出する。壁板８７がソケット３６、接続箱６２、および／または壁６４に固定されると、保持部材８６は設置位置に固定され、壁板８７を取り外さなければ取り外せない。必要に応じて、ユーザーは、いくつかの、またはすべてのコンセント３６に保持部材８６を取り付けることができる。
【００３８】
保持部５４’は、中に電気コード１０の第１の端部１８を受容するようにサイズ決定された内部５６’を有する。保持部５４の後縁９０は、ソケット３６と整列し、その周りに延びるように構成された内部５６’に対して後方開口部５８’を画定し、その結果、第１のコネクタ１６などの第１の端部１８、アダプタ２６、または両方ともがそこに電気的に結合され、前方開口部６０’は、第２のコネクタ２０およびワイヤー部２４がその中を通過できるようにサイズ決定されている。さらに、前方開口部６０’は、第１の端部１８がその中を通過できないように、第１の端部１８および第１のコネクタ１６および／またはそのアダプタ２６の対応する寸法よりも小さい寸法を少なくとも１つ有するようにサイズ決定されていてもよい。例えば、前方開口部６０’は、第１のコネクタ１６よりも狭い幅、第１のコネクタ１６よりも低い高さ、またはこれらの両方、またはアダプタ２６よりも狭い幅、アダプタ２６よりも低い高さ、またはこれらの両方を有することができる。所望であれば、保持部５４’は、使用中に第１のコネクタ１６の本体部７０または本体部７０の一部を中に受容するようにサイズ決定された延長部７２’を含むことができる。いくつかの形態では、第１のコネクタ１６は、ほぼ均一な幅および高さを有するほぼ箱形の構成を有し得る。そのようなものとして、延長部７２’は、その幅、高さ、またはこれらの両方、その遠位端を狭める狭窄部７４’を含むことができ、そのため、前方開口部６０’は、第１のコネクタ１６を中に保持するように、第１のコネクタ１６よりも低い高さまたは狭い幅の少なくとも一方を有するようにサイズ決定されている。別のアプローチにより、延長部７２’は、その幅および／または高さを連続的に減少させるために先細り形状を有することができる。
【００３９】
この構成では、ユーザーは、第２の端部２２を延長部内部５６’の前後の開口部５８’、６０’に通し、第１の端部１８が後方開口部５８’に引っ張られるように第２の端部２２またはワイヤー２４を引っ張ることができる。次に、ユーザーは、第１の端部１８をソケット３４に差し込むことができる。次に、ユーザーは、保持部５４’を第１の端部１８の上に配置し、壁板８７を固定する。
【００４０】
追加の保持の実施形態を図７〜９に示す。壁ソケット３６ではなく、これらの形態の実施形態は、電気コンセントの携帯用ハウジングに結合するように構成される。一例では、ハウジング１０２、その長さに沿って間隔を空けた複数の電気コンセント１０４、電気コンセント１０４への電力供給を制御するように構成されたスイッチデバイス１０６、および壁コンセントなどの電源に接続されるように構成された電源コード１０８を含む電源バー１００が図７に示される。上述のように、第１の端部１８にプラグ１６、２６を備えたワイヤー２４を有する電気コード１０は、電源バー１００のコンセント１０４に挿入され、それにより電気を受容するように構成される。
【００４１】
別のコンセントハウジングの形状を図８および９に示す。これらの形態では、電気コンセント１０４は半球形ハウジング１１０に設けられている。コンセント１０４は、ハウジング１１０の周りに半径方向にほぼ等間隔で配置されている。本明細書に記載されるように、コンセント１０４は、２つまたは３つの突起を有するプラグを受容するように構成された前述の形態をとることができる。あるいは、図８に示されるように、コンセント１０４のいずれかは、ＵＳＢコネクタ１６または他の既知のコネクタを受容するように構成され、アダプタの使用を回避することができる。さらに、棒状および半球形ハウジング１０２、１１０が示されているが、本明細書の開示は、任意の電源コード、コンセント、およびハウジングの組み合わせに適用可能である。
【００４２】
図８および図９の実施形態では、プラグ１６、２６をプラグ構成に保持するために、１つ以上の保持部材１１２がハウジング１０２、１１０に結合するように構成されている。図示されるように、各保持部材１１２は、上述の保持部５４と同様の構成を有し、第１のコネクタ１６の１つ、アダプタ２６、またはこれらの両方を中に受容するようにサイズ決定された内部１１５を有する本体１１４を含む。さらに、本体１１４は、以下により詳細に記載されるように、コンセント１０２に差し込まれる深さで第１の端部１８を中に受容し、本体１１４をハウジング１０２、１１０に結合できるようにサイズ決定された深さを有する。
【００４３】
この形態の本体１１４は、図２の実施形態および図７の側面図に示されるように、４つの側壁パネル１１６および端壁１１８を備えたほぼ長方形の断面を有する。中に第１の端部１８を受容するために、本体１１４は、一端の側壁１１６の縁部１２２と反対側の端壁１１８の前部のワイヤー開口部１２４とによって画定される後部のプラグ開口部１２０を含む。ワイヤー開口部１２４は、好ましくは、少なくとも１つの寸法が第１の端部１８よりも小さく、第１の端部１８がワイヤー開口部１２４を通って引き出されないようにサイズ決定されている。そのように構成されると、ユーザーは、第１の端部１８が本体１１４に隣接するまで、ワイヤー２４をワイヤー開口部１２４に通すことができる。その後、ユーザーは、第１の端部１８をコンセント１０４に挿入し、その後、保持部材１１２をハウジング１０２、１１０に固定することができる。さらなるアプローチにより、ユーザーは、保持部材１１２をハウジング１０２、１１０に固定することにより、第１の端部１８を本体１１４に引き込み、第１の端部１８をコンセント１０４に挿入することができる。
【００４４】
上記の実施形態と同様に、アダプタ２６を必要とするコード１０とコンセント１０４の組み合わせの場合、保持部材１１２は、第１のコネクタ１６を使用中に、本体部７０または本体部７０の一部を受容するようにサイズ決定された延長部１２６を含むことができる。延長部１２６、およびその端壁１１８は、ワイヤー開口部１２４の幅、高さ、または両方を狭くすることができ、ワイヤー開口部１２４は、中に第１のコネクタ１６を保持するように、第１のコネクタ１６より小さい高さもしくは幅、またはこれらの両方のうちの少なくとも１つを有するようにサイズ決定されている。別のアプローチにより、延長部１２６は、その幅および／または高さを連続的に減少させるために先細り形状を有することができる。
【００４５】
そのような構成では、本体１１４は、アダプタ２６を受容するようにサイズ決定された後部１３０と寸法的に小さい延長部１２６との間に延びる肩部１２８を任意に含むことができ、その結果、本体１１４は段付き構成を有する。もちろん、他のコネクタやアダプタには他の構成を利用できる。
【００４６】
保持部材１１２は、任意の適切な方法によりハウジング１０２、１１０に結合または固定することができる。第１のアプローチでは、ハウジング１０２、１１０は、保持部材本体１１４の一部を摩擦フィットまたはスナップフィットで受容して、それによって保持部材１１２をハウジング１０２、１１０に固定するようにサイズ決定されたコンセント１０４に隣接して延びるチャネルまたは凹部１３２を含むことができる。チャネル１３２は、図示のようにコンセント１０４の周りに完全に延びることができ、または保持部材１１２上の対応するタブとともにその部分に沿って延びることができる。
【００４７】
第２のアプローチでは、保持部材１１２は、保持部材１１２を通ってハウジング１０２、１１０内に延びる留め具１３４を使用してハウジング１０２、１１０に固定することができる。所望であれば、保持部材１１２は、ハウジング１０２、１１０に沿って突出するタブ部１３６を含むことができる。有利なことに、この構成により、保持部材１１２は、保持部材１１２を固定するように構成されていないハウジング１０２、１１０に固定することができる。さらなるアプローチでは、保持部材１１２は、永久接着剤、超音波溶接などによって、ハウジング１０２、１１０に永久的に取り付けることができる。
【００４８】
保持部材１１２は、各コンセント１０４の個々の本体１１４として記載されてきたが、複数の保持部材１１２を一体構造で提供することができる。例えば、電源バー１００の場合、いくつかの保持部材１１２を、いくつかのまたはすべての個数のコンセント１０４に対応する列に設けることができる。加えて、図６は、隣接する本体１１４間に延びる壁を示しているが、組み合わされた実施形態は、代わりに、個々のワイヤー開口部１２４と、随意的に、延長部１２６とを備えた外壁のみを有することができる。
【００４９】
図９に示すように、別のアプローチにより、保持部材１４４は、ハウジング１１０に結合し、またはハウジング１１０の上に固定するように構成することができる。保持部材１４４は、ハウジング１１０の形状に対応する形状を有する本体１４６と、ハウジング１１０のコンセント１０４と整列する保持部１４８とを含む。保持部材１４４は、任意の適切な方法または機構によって電源ハウジング１１０に結合するように構成され得る。例えば、部材１１４は、ハウジング１１０にスナップフィットすることができ、留め具を使用して固定することができ、それに溶接することができるなどする。コンセント１０４は、２プロング、３プロング、ＵＳＢ接続、または他の適切な電気接続とすることができる。同様に、保持部１４８は、本明細書に記載された形態のいずれかをとることができる。
【００５０】
保持部１４８は、その中に電気コード１０の第１のコネクタ１６および／またはアダプタ２６を含む第１の端部１８を受容するようにサイズ決定されている。保持部１４８はそれぞれ、第１の端部１８がそこに電気的に結合できるようにコンセント１０４と整列する後方開口部（図示せず）と、第２のコネクタ２０およびワイヤー部２４がその中を通過できるようにサイズ決定された前方開口部１５０とを含む。上記の実施形態と同様に、前方開口部１５０は、第１の端部１８がその中を通過できないように、第１の端部１８、第１のコネクタ１６および／またはそのアダプタ２６の対応する寸法よりも小さい少なくとも１つの寸法を有するようにサイズ決定されている。
【００５１】
保持部１４８の３つの例示的な構成が示されているが、所与の保持部材１４４は、所望の用途および／またはハウジングコンセント１０４の構成に応じた所望の組み合わせを含むことができることを理解されたい。例えば、保持部１４８ａは、第１のコネクタ１６を保持するように構成することができ、保持部１４８ｂは、アダプタ２６を保持するように構成することができ、保持部１４８ｃは、第１のコネクタ１６とアダプタ２６の両方を保持するように構成することができる。
【００５２】
別の実施形態では、図１０に示すように、保持デバイス１５２は、第１のコネクタ１６、アダプタ２６、またはこれらの両方を含むコード１０の第１の端部１８によって生成される熱を換気するように構成することができる。図示された例では、保持デバイス１５２は、図２に示された上記の実施形態と同様に構成され、したがって、類似の特徴は、素数が付された同じ参照文字を有する。
【００５３】
この形態の保持デバイス１５２は、保持部５４’の任意の所望の壁を貫通して延びる１つ以上の換気開口部１５３を含む。例えば、通気開口部１５３は、後部７８’、延長部７２’、および／または肩部７６’を貫通して配置することができる。さらに、換気開口部１５３は、図示されるような細長いスロット、円筒形、曲線形、または他の適切な形状など、任意の所望の形態をとることができる。さらに、同様に構成された換気開口部は、上記の実施形態のいずれかに任意に組み込まれてもよい。
【００５４】
所望であれば、図１０に示されるように、保持デバイス１５２は、保管構成でワイヤー部２４が保持部５４’の周りに巻き付けられたときにコード１０のワイヤー部２４を保持するように構成される構造を含むことができる。例えば、ユーザーが電気デバイス１２を充電していないとき、コード１０のワイヤー部２４および第２の端部２２は保持デバイス１５２から延び出て邪魔になることがある。図示の形態では、保持デバイス１５２は、保持部５４’から外向きにおよび／または離れて突出するアームまたはウサギの耳型１５４または同様の構造を含むことができる。そのように構成されると、ユーザーは、ワイヤー部２４を保持部５４’の周りに巻き付けることができ、アーム１５４は、ワイヤー部２４を巻き付けられた構成に保持するように構成される。
【００５５】
より具体的には、アーム１５４の遠位端は、基部５２’または壁６４に平行な平面にほぼ沿って突出することができ、コイル状ワイヤー部２４が基部５２’または壁６４から離れることが制限される。アーム１５４は、図示のように湾曲するか、角度を付けることができ、または必要に応じて保持部５４’からほぼ垂直方向に外向きに突出することができる。理解されるように、コード１０は、ワイヤー部２４をコイル状構成に保持するためにワイヤー部２４を結合する摩擦保持結合部材を含むことができる。別のアプローチにより、保持部５４’またはアーム１５４は、同様に構成された結合部材１５６を含むことができる。そのように構成されると、ワイヤー部２４はコイル状構成に保持され、一方、アーム１５４は、基部５２’および／または壁６４と組み合わせて、保持部５４’に沿った横方向の動きを制限する。
【００５６】
さらなるアプローチにより、アーム１５４は保持部５４’に旋回可能に取り付けられ、アーム１５４は、概ね保持部５４’に沿って延びる保管位置とそこから離れる使用位置との間で旋回できる。例えば、保持部５４’は、アーム１５４の一部またはすべてを中に受容するようにサイズ決定された凹部（図示せず）を含むことができる。さらに、同様に構成されたアームは、上記の実施形態のいずれかに任意に組み込まれてもよい。
【００５７】
保持部５４および保持部材１１２は、コネクタ１６、アダプタ２６、またはこれらの両方を含む第１の端部１８の外部形状に実質的に適合する内部空洞とともに形成または成形されるものとして記載および図示されているが、いくつかのバージョンでは、デバイスはさらに、ユーザーが保持部／部材５４、１１２の空洞に正確に適合しない他の充電コードとともに壁板５０を利用できるようにする１つ以上のスペーサー要素を含むことができる。このようなスペーサーは、他の既知の充電コード構成を収容するように事前に成形することができ、充電コードをそこに通す前に保持部／部材５４、１１２の内部に容易に配置することができる。有利なことに、これにより柔軟性と実用性が向上する。
【００５８】
本明細書に開示された前述の壁板および他の保持部材は、射出成形、鋳造、機械加工、３Ｄ印刷、または当業者に知られている他の実用的かつ利用可能な手段によって、単一の部品で構成されていることが好ましい。
【００５９】
当業者は、本発明の範囲から逸脱することなく、上述の実施形態に関して多種多様な修正、変更、および組み合わせを行うことができ、そのような修正、変更、および組み合わせが本発明の概念の範囲内にあると見られることを認識するであろう。
【符号の説明】
【００６０】
１０  電気コード
１２  電気デバイス
１４  電源、二次電気デバイス
１６  ＵＳＢコネクタ、第１のコネクタ
１８  第１の端部
２０  第２のコネクタ
２２  第２の端部
２４  コイル状ワイヤー部
２６  アダプタ
２８  ポート
３０  第１の側面
３１  プラグ部
３２  プラグ
３４  ソケット
３６  ソケット
３６  コンセント
５０  壁板、コンセントカバー
５２  基部
５２’  基部
５３  縁部
５４  保持部
５４’  保持部
５６  保持部内部
５６’  延長部内部
５８  後方開口部
５８’  後方開口部
６０  前方開口部
６０’  前方開口部
６２  接続箱
６４  壁
６６  留め具
６８  開口部
７０  本体部
７２  延長部
７２’  延長部
７４  狭窄部
７４’  狭窄部
７６  肩部
７６’  肩部
７８  後部
７８’  後部
８０  停止面
８４  ソケット開口部
８６  保持部材
８７  壁板
８８  本体
８９  フランジ部
９０  後縁
９１  ソケット開口部
１００  電源バー
１０２  ハウジング
１０４  コンセント
１０６  スイッチデバイス
１０８  電源コード
１１０  ハウジング
１１２  保持部材
１１４  保持部材本体
１１５  内部
１１６  側壁パネル
１１８  端壁
１２０  プラグ開口部
１２２  縁部
１２４  ワイヤー開口部
１２６  延長部
１２８  肩部
１３０  後部
１３２  凹部、チャネル
１３４  留め具
１３６  タブ部
１４４  保持部材
１４６  本体
１４８  保持部
１５０  前方開口部
１５２  保持デバイス
１５３  換気開口部
１５４  アーム
１５６  結合部材
【図１】
2020530646.tif 000003
【図２】
2020530646.tif 000004
【図３】
2020530646.tif 000005
【図４】
2020530646.tif 000006
【図５】
2020530646.tif 000007
【図６】
2020530646.tif 000008
【図７】
2020530646.tif 000009
【図８】
2020530646.tif 000010
【図９】
2020530646.tif 000011
【図１０】
2020530646.tif 000012
【国際調査報告】
2020530646.tif 000013
2020530646.tif 000014
2020530646.tif 000015